(57)【要約】【課題】既存のベビー用カートを利用して組み立てることができ、かつ、必要に応じて元のベビー用カートに分離できるようした連結式ツイン用カートをコスト安に提供する。【解決手段】前に配置される連結専用のベビー用カートの本体フレーム２Ａにおける前後方向の中間部には、幅方向に差し渡される受け部材６が設けられ、後に配置されるベビー用カートの前一対のキャスター１，１を取り除いた本体フレーム２の前部を、ボルト７とナット８の締結により、前記受け部材６に対して着脱自在に固定できるようにする。【選択図】  図６
2006219060.tif 000002
【特許請求の範囲】
【請求項１】
前後にそれぞれ一対のキャスター（１）（１）を旋回自在に備えて前細り状に形成された本体フレーム（２）に乳幼児用のシート（４）を設けてなるベビー用カート（５Ａ）（５）を前後に着脱自在に連結できるように構成した連結式ツイン用カートであって、
前に配置される連結専用のベビー用カート（５Ａ）の本体フレーム（２Ａ）における前後方向の中間部には、後に配置されるベビー用カート（５）の前一対のキャスター（１）（１）を取り除いた本体フレーム（２）の前部を着脱自在に固定するための受け部材（６）が設けられていることを特徴とする連結式ツイン用カート。
【請求項２】
前記受け部材（６）には、前記後に配置されるベビー用カート（５）の前一対のキャスター（１）（１）を取り付けているボルト（７）（７）に対応するボルト挿通孔（９）（９）が形成され、前一対のキャスター（１）（１）が取り除かれた前記後に配置されるベビー用カート（５）の本体フレーム（２）の前記ボルト（７）（７）が挿通されていたボルト孔（１０）（１０）を前記ボルト挿通孔（９）（９）に一致させて、前記ボルト挿通孔（９）（９）とボルト孔（１０）（１０）に挿通させたボルト（７）（７）をナット（８）（８）で締結することにより、前記本体フレーム（２）を前記受け部材（６）に固定できるようにしたことを特徴とする請求項１に記載の連結式ツイン用カート。
【請求項３】
前後にそれぞれ一対のキャスター（１）（１）を旋回自在に備えて前細り状に形成された本体フレーム（２）に乳幼児用のシート（４）を設けてなるベビー用カート（５）（５）を左右に着脱自在に連結できるようにした連結式ツイン用カートであって、
左右に配置したベビー用カート（５）（５）の内側の後のキャスター（１）（１）がそれぞれ取り除かれた状態にて左右の本体フレーム（２）（２）の内側後端部同士を着脱自在に連結するための連結金具（１２）を設け、該連結金具（１２）にはキャスター（１）が旋回自在に取り付けられると共に、左右の本体フレーム（２）（２）の内側中間部同士を着脱自在に連結するための連結部材（１３）を設けたことを特徴とする連結式ツイン用カート。
【請求項４】
前記連結金具（１２）の中央には、キャスター（１）を旋回自在に支持するためのボルト（７）を挿通させるボルト孔（１２ａ）が形成され、かつ、その両側には、左右の本体フレーム（２）（２）の内側後端部に形成されているねじ孔に螺合させるためのボルト（７）（７）を挿通させるボルト孔（１２ｂ）（１２ｂ）が形成されていることを特徴とする請求項３に記載の連結式ツイン用カート。
【請求項５】
前記連結部材（１３）は、二枚合わせの板部材（１３Ａ）（１３Ｂ）からなり、該板部材（１３Ａ）（１３Ｂ）の両側には、左右の本体フレーム（２）（２）の内側中間部を挟持するための挟持部（１３ｅ）（１３ｅ）が形成され、その内側には、該挟持部（１３ｅ）（１３ｅ）同士を締結状態に固定するためのボルト（７）（７）を挿通させるボルト孔（１３ｂ）（１３ｂ）が形成されていることを特徴とする請求項３又は４に記載の連結式ツイン用カート。
【発明の詳細な説明】
【技術分野】
【０００１】
本発明は、連結式ツイン用カートに係り、詳しくは、ベビーカートを前後又は左右に連結して双子の乳幼児を収容できるようにしたショッピングカートに関する。
【背景技術】
【０００２】
スーパーマーケット等で使用されるショッピングカートは、キャスター付きの本体フレームに物品収納用のバスケットを搭載し、多くの場合、ネスティングできるように構成され、今日までに多数提案されている（例えば、特許文献１参照）。このようなショッピングカートには、バスケットの前又は後に乳幼児を収容するためのシートを設けたベビー用カートもある。
【０００３】
【特許文献１】特開平１１−９１５７６号公報
【発明の開示】
【発明が解決しようとする課題】
【０００４】
上述のようなベビー用カートでは、双子の乳幼児を収容する場合２台必要になるため、使い勝手がよくない。そこで、本体フレームにシートを２つ設けたツイン専用のベビー用カートが求められるが、その場合、本体フレームの幅寸法や強度等について再検討を要するため全く新たな設計が必要とされる。
【０００５】
しかし、ツイン専用のベビー用カートは、需要が少ないため製作費が割高になるという問題がある。また、このようなツイン専用のベビー用カートを常時必要数揃えておくためには、広いスペースが必要とされる。しかも、一旦、ツイン専用として製作したものを一人用としても体裁よく使用できるようにするのは難しい。
【０００６】
また、ベビー用カートの本体フレーム及びその他の金属部材は、ソフトな感触を得られるように製作段階でナイロンコーティングが施される。その際に、本体フレーム等を粉末状のコーティング材を収納したコーティング槽に没入させる作業が行われるが、ツイン専用のベビー用カートでは、本体フレームの全長が長くなるため大きなコーティング槽が必要とされ、さらに製作費が嵩むこととなる。
【０００７】
本発明は、このような実情に鑑みてなされ、既存のベビー用カートを利用して組み立てることができ、かつ、必要に応じて元のベビー用カートに分離できるようした連結式ツイン用カートをコスト安に提供することを目的とする。
【課題を解決するための手段】
【０００８】
（１）本発明の連結式ツイン用カートは、前後にそれぞれ一対のキャスター１，１を旋回自在に備えて前細り状に形成された本体フレーム２に乳幼児用のシート４を設けてなるベビー用カート５Ａ，５を前後に着脱自在に連結できるように構成した連結式ツイン用カートであって、
前に配置される連結専用のベビー用カート５Ａの本体フレーム２Ａにおける前後方向の中間部には、後に配置されるベビー用カート５の前一対のキャスター１，１を取り除いた本体フレーム２の前部を着脱自在に固定するための受け部材６が設けられていることを特徴とする。
【０００９】
このような構成によれば、後に配置されるベビー用カート５の前２つのキャスター１を取り除いて、その本体フレーム２の前部を、前に配置される連結専用のベビー用カート５Ａの本体フレーム２Ａに設けた受け部材６に固定すれば、前後に２つのベビー用カート５Ａ，５を連結したツイン用カートを得ることができる。また、その固定状態を解除すれば、２つのベビー用カート５Ａ，５に分離することができる。
【００１０】
（２）前記受け部材６には、前記後に配置されるベビー用カート５の前一対のキャスター１，１を取り付けているボルト７，７に対応するボルト挿通孔９，９が形成され、前一対のキャスター１，１が取り除かれた前記後に配置されるベビー用カート５の本体フレーム２の前記ボルト７，７が挿通されていたボルト孔１０，１０を前記ボルト挿通孔９，９に一致させて、前記ボルト挿通孔９，９とボルト孔１０，１０に挿通させたボルト７，７をナット８，８で締結することにより、前記本体フレーム２を前記受け部材６に固定できるようにしてもよい。
【００１１】
このようにすれば、ボルト７とナット８の締結により、熟練を要することなく２つのベビー用カート５Ａ，５を前後に容易に連結することができ、連結のための構成が簡易なものとなる。また、その締結状態を解除すれば、２つのベビー用カート５Ａ，５に分離することができる。
【００１２】
（３）本発明の別の連結式ツイン用カートは、前後にそれぞれ一対のキャスター１，１を旋回自在に備えて前細り状に形成された本体フレーム２に支持部材３を介して乳幼児用のシート４を設けてなるベビー用カート５，５を左右に着脱自在に連結できるようにした連結式ツイン用カートであって、
左右に配置したベビー用カート５，５の内側の後のキャスター１，１がそれぞれ取り除かれた状態にて左右の本体フレーム２，２の内側後端部同士を着脱自在に連結するための連結金具１２を設け、該連結金具１２にはキャスター１が旋回自在に取り付けられると共に、左右の本体フレーム２，２の内側中間部同士を着脱自在に連結するための連結部材１３を設けたことを特徴とする。
【００１３】
このような構成によれば、左右に配置されるベビー用カート５，５の内側の後のキャスター１，１をそれぞれ取り除いて、左右の本体フレーム２，２の内側後端部同士を連結金具１２で着脱自在に連結し、かつ、その連結金具１２にキャスター１を取り付け、左右の本体フレーム２，２の内側中間部同士を連結部材１３で着脱自在に連結すれば、左右に２つのベビー用カート５，５を連結したツイン用カートを得ることができる。また、その固定状態を解除すれば、２つのベビー用カート５，５に分離することができる。そのベビー用カート５，５は連結用の改良を施す必要がなく、既存のままの状態でよい。
【００１４】
（４）前記連結金具１２の中央には、キャスター１を旋回自在に支持するためのボルト７を挿通させるボルト孔１２ａが形成され、かつ、その両側には、左右の本体フレーム２，２の内側後端部に形成されているねじ孔に螺合させるためのボルト７，７を挿通させるボルト孔１２ｂ，１２ｂが形成されていてもよい。
【００１５】
このようにすれば、熟練を要することなく、左右の本体フレーム２，２の内側後端部同士を容易に連結することができる。即ち、連結金具１２のボルト孔１２ａに、キャスター１を支持するボルト７を挿通させてナット８で締結することにより、キャスター１を旋回自在に取り付けることができる。また、ボルト孔１２ｂ，１２ｂに挿通させたボルト７，７を左右の本体フレーム２，２の内側後端部に形成されているねじ孔に螺合させれば、連結金具１２によって、左右の本体フレーム２，２の内側後端部同士を連結することができる。
【００１６】
（５）前記連結部材１３は、二枚合わせの板部材１３Ａ，１３Ｂからなり、該板部材１３Ａ，１３Ｂの両側には、左右の本体フレーム２，２の内側中間部を挟持するための挟持部１３ｅ，１３ｅが形成され、その内側には、該挟持部１３ｅ，１３ｅ同士を締結状態に固定するためのボルト７，７を挿通させるボルト孔１３ｂ，１３ｂが形成されていてもよい。
【００１７】
このようにすれば、熟練を要することなく、左右の本体フレーム２，２の内側中間部同士を容易に連結することができる。即ち、二枚合わせの板部材１３Ａ，１３Ｂの挟持部１３ｅ，１３ｅ間に、左右の本体フレーム２，２の内側中間部を挟持させて、その内側のボルト孔１３ｂ，１３ｂにボルト７，７を挿通させてナット８，８で締結すれば、左右の本体フレーム２，２の内側中間部を固定状態に連結することができる。
【発明の効果】
【００１８】
本発明に係る連結式ツイン用カートは、前に配置される連結専用のベビー用カートの本体フレームに設けた受け部材に、後に配置されるベビー用カートの前一対のキャスターを取り除いた本体フレームの前部を、着脱自在に固定できるようにしたので、後に配置されるベビー用カートの前一対のキャスターを取り除いて、その本体フレームの前部を、前に配置されるベビー用カートの本体フレームに設けた受け部材に固定すれば、２つのベビー用カートを前後に連結したツイン用カートを得ることができる。また、その固定状態を解除すれば、２つのベビー用カートに分離することができる。このように、２つのベビー用カートを前後方向に連結するので、専用のツイン用カートよりも安価に提供することができる。また、必要に応じて、２つのベビー用カートに分離できるので、取り扱い上の自由度が高い。
【００１９】
本発明に係る別の連結式ツイン用カートは、連結金具によって、左右に配置したベビー用カートの内側の後のキャスターがそれぞれ取り除かれた状態の本体フレームの内側後端部同士を着脱自在に連結し、連結部材によって、左右の本体フレームの内側中間部同士を着脱自在に連結すれば、左右に２つのベビー用カートを連結したツイン用カートを得ることができる。また、その固定状態を解除すれば、２つのベビー用カートに分離することができる。この発明によれば、連結専用のベビー用カートを要することなく既存のベビー用カート同士を連結することができるため、より安価に提供することができる。また、必要に応じて、２つのベビー用カートに分離できるので、取り扱い上の自由度がより一層高くなる。
【発明を実施するための最良の形態】
【００２０】
以下に、本発明の最良の実施の形態に係る連結式ツイン用カートについて詳細に説明する。
〔実施の形態１〕
図１は前後に連結された連結式ツイン用カートＴの側面図、図２はその平面図、図３（ａ）は前に配置される連結専用のベビー用カート５Ａの平面図、（ｂ）はその側面図、図４（ａ）は後に配置される既存のベビー用カート５の平面図、（ｂ）はその側面図、図５（ａ）は連結した状態の本体フレームの平面図、（ｂ）はその側面図、図６（ａ）は連結時の本体フレーム同士の組み付け対応を示す平面図、（ｂ）はその側面図である。
【００２１】
これらの図に基づいて、まず、後のベビー用カート５について説明すると、図４（ｂ）に示すように、本体フレーム２の下部には、３６０°旋回自在なキャスター１が前後に一対（計４個）設けられている。本体フレーム２は、パイプ材を前細り状の略Ｕ字状に折り曲げて形成され（図６（ａ）参照）、その後半部には、物品収納用のバスケット（図示省略）を支持するための支持用桟２１が設けられ、後のキャスター１，１が支持されている本体フレーム２の後端部にはハンドル取付部２２ａが設けられ、該ハンドル取付部２２ａに側面視で略くの字状に折曲されたハンドル２２の下端が取り付られ、そのハンドル２２の立ち上がり部と本体フレーム２の間には補強用の支柱２２ｂが立設されている。また、本体フレーム２の前部には、折曲された細いパイプ又は丸棒を組み合わせた支持部材３を介して乳幼児用のシート４が支持されている。シート４の前まわりには円弧状の脱落防止用の手摺り４ａが設けられ、また、本体フレーム２の前端部には、丸棒を所定間隔に張設してなる足載せ台４ｂが設けられている。
【００２２】
足載せ台４ｂの下には、図６（ａ）に示すように、前一対のキャスター１，１を支持するためのフラットバー２３が設けられている。そのフラットバー２３は本体フレーム２の前部幅方向に差し渡され、そのフラットバー２３に形成されたボルト孔２３ａに合わせてナット８が溶接されており、このナット８に、キャスター１の車輪支持部材１ａの上部に形成されたボルト孔に下方から挿通されたボルト（図示省略）を螺合締結させることで、キャスター１がフラットバー２３に着脱自在かつ旋回自在に取り付けられる。後に設けられるキャスター１については、車輪支持部材１ａの上部に形成されたボルト孔に下方から挿通されたボルト（図示省略）を、本体フレーム２の後端部のハンドル取付部２２ａの内部に形成されたねじ孔（図示省略）に下方から螺合締結させることによって、キャスター１がハンドル取付部２２ａに着脱自在かつ旋回自在に取り付けられる。以上のような構成にあって、金属材からなる本体フレーム２，支持用桟２１，ハンドル２２及び支持部材３等は、ナイロンコーティングが施されてソフトな感触が得られるようにしている。
【００２３】
一方、前に配置される連結専用のベビー用カート５Ａでは、図３（ｂ）に示すように、本体フレーム２Ａの後半部には、後のベビー用カート５の本体フレーム２の前半部を挿入するので、バスケット支持用の支持用桟は設けられていない。そして、図６（ａ）に示すように、本体フレーム２Ａの後部には、フラットバーからなる受け部材６が幅方向に差し渡されて溶接されており、その受け部材６には、後のベビー用カート５のフラットバー２３に形成されたボルト孔２３ａ，２３ａに対応するボルト孔６ａ，６ａが形成されている。そして、本体フレーム２Ａの後端近傍には、補強用の丸棒１６が幅方向に差し渡されて溶接され連結部を含めた後部まわりの剛性が向上されている。
【００２４】
また、図５（ａ），図６（ａ）に示すように、本体フレーム２Ａの前部幅方向にフラットバー２３が差し渡され、そのフラットバー２３に形成されたボルト孔２３ａに合わせてナット８が溶接されており、このナット８に、キャスター１の車輪支持部材１ａを支持するボルト７が下方から螺合締結され、そのキャスター１がフラットバー２３に着脱自在かつ旋回自在に取り付けられている。この構成については、後のベビー用カート５においても同じである（前述した後のベビー用カート５の説明では、ボルトの符号を省略している）。また、ハンドル２２の立ち上がり部と本体フレーム２Ａの間に立設される支柱２２ｂは、後のベビー用カート５のものよりも細くしている。その他の構成については、後のベビー用カート５と同一又は同等部材は同一符号を付して説明を省略する。このように、連結専用のベビー用カート５Ａは、既存のベビー用カート５を僅かに改良しただけで済み、コスト安に提供することができる。
【００２５】
次いで、前後のベビー用カート５Ａ，５を連結する手順について、図５（ａ）（ｂ）及び図６（ａ）（ｂ）等を参照しつつ以下に順を追って説明する。
（１）前一対のキャスター１を取り付けているボルト７をナット８から外すことによって、両方のキャスター１，１を取り外す。
【００２６】
（２）後のベビー用カート５の本体フレーム２の前部を前のベビー用カート５Ａの後部に載せ、後のベビー用カート５のフラットバー２３に形成されているボルト孔２３ａ，２３ａを、前のベビー用カート５Ａの受け部材６に形成されているボルト孔６ａ，６ａに対応させる。
【００２７】
（３）各ボルト孔６ａ，２３ａ、６ａ，２３ａに、下方からボルト７，７を挿通してスプリングワッシャを介してナット８，８で締結し、後の本体フレーム２と前の本体フレーム２Ａとを連結状態に固定する。以上で連結作業は終了する。
なお、ボルト７，７は、キャスター１，１を取り付けていたものを使用することができるが、別途、用意したものを使用してもよい。また、ナット８，８は、フラットバー２３のボルト孔２３ａ，２３ａに対応させて予め溶接しておいてもよく、後の本体フレーム２から取り外したものを使用しもよく、別途、用意したものを使用してもよい。
【００２８】
以上のように、連結式ツイン用カートＴの連結作業は、熟練を要することなく容易かつ迅速に行うことができ、連結された状態では、本体フレーム同士２Ａ，２が強固に連結され、かつ、前の本体フレーム２Ａの連結部周辺が補強されているため、全体として、しっかりとした剛性感が得られる。二人の乳幼児と物品を収納したバスケットを載せた満載状態では、６個のキャスター１で荷重を分担して安定に受けることができる。また、各キャスター１が旋回自在であるため、良好な操向性が得られる。そして、分離したい場合には、ボルト７，７とナット８，８の締結を外せば簡単に分離でき、後のベビー用カート５に、取り外しておいた前一対のキャスター１，１を取り付ければ元の状態に復帰する。
【００２９】
従って、例えば、連結専用の前のベビー用カート５Ａをユーザーに納入するだけで、既存のベビー用カート５を簡単に連結できるため、ユーザーサイドでは、専用のベビー用カートを購入するよりもはるかに安価なコストで連結式ツイン用カートＴを組み立てることができる。また、簡単に分離できるため、収容スペースに余裕がなくなった時等には分離すればよく、取り扱い上の自由度がきわめて高く、経費の節減効果が高い。さらに、メーカーサイドでは、連結専用の前のベビー用カート５Ａの本体フレーム２Ａを長く延長する必要がないので、製作段階でナイロンコーティングを施す際に、特別大きなコーティング槽を必要とせず製作費を低く押えることができる。
【００３０】
〔実施の形態２〕
図７は左右に連結された連結式ツイン用カートＴの平面図、図８（ａ）（ｂ）（ｃ）は、連結部の構成説明図である。これらの図に示すように、本実施の形態では、既存の２つのベビー用カート５，５を左右に着脱自在に連結できるようにしている。即ち、左右に配置したベビー用カート５，５の内側の後のキャスター１，１をそれぞれ取り除いて、左右の本体フレーム２，２の内側後端部同士を連結金具１２で着脱自在に連結し、その連結金具１２には、キャスター１を旋回自在に取付けると共に、左右の本体フレーム２，２の内側中間部同士を連結部材１３で着脱自在に固定するようにしている。なお、前実施の形態と、同一又は同等部材については同一符号を付して説明を省略する。
【００３１】
連結金具１２は、Ｌ字状に折曲した板金材からなり、その中央部には、キャスター１を旋回自在に支持するためのボルト７を挿通させるボルト孔１２ａが形成され、かつ、その両側には、左右の本体フレーム２，２の内側後端部のハンドル取付部２２ａに形成されているねじ孔に螺合させるためのボルト７，７を挿通させるボルト孔１２ｂ，１２ｂが形成されている。また、連結部材１３は、二枚合わせの板部材（板金材）１３Ａ，１３Ｂからなり、その板部材１３Ａ，１３Ｂの両側には、左右の本体フレーム２，２の内側中間部を挟持するための略Ｕ字状に形成された挟持部１３ｅ，１３ｅが形成され、その内側には、その挟持部１３ｅ，１３ｅ同士を締結状態に固定するためのボルト７，７を挿通させるボルト孔１３ｂ，１３ｂが形成されている。
【００３２】
このような構成により、連結式ツイン用カートＴを組み立てる手順について、図８（ａ）（ｂ）（ｃ）を参照しつつ、以下に順を追って説明する。
（１）左右に配置するベビー用カート５，５の内側の後のキャスター１，１を取り外す。即ち、キャスター１，１を支持しているボルト７，７をハンドル取付部２２ａ，２２ａのねじ孔からそれぞれ取り外せばよい。
【００３３】
（２）ハンドル取付部２２ａ，２２ａのねじ孔に、連結金具１２のボルト孔１３ｂ，１３ｂを対応させて、そのボルト孔１３ｂ，１３ｂにスプリングワッシャ及びワッシャを介して下方から挿通させたボルト７，７をねじ孔に螺合締結させて連結金具１２をハンドル取付部２２ａ，２２ａの下に固定する。次いで、中央のボルト孔１２ａに、取り除いたキャスター１の内の一つを取り付ける。即ち、キャスター１の車輪支持部材１ａの上部に形成されたボルト孔に挿通されているボルト７をボルト孔１２ａに挿通させてナット８で締結すればよい。なお、このナット８は、予め、ボルト孔１２ａの位置に合わせて連結金具１２に溶接しておいてもよい。また、先に、キャスター１を連結金具１２に取り付けて、後で、ハンドル取付部２２ａ，２２ａに連結金具１２を固定してもよい。
【００３４】
（３）左右の本体フレーム２，２の内側中間部を、連結部材１３で固定する。即ち、左右の本体フレーム２，２の内側中間部を、二枚の板部材１３Ａ，１３Ｂの挟持部１３ｅ，１３ｅによって挟みつけた状態として、その内側のボルト孔１３ｂ，１３ｂに、スプリングワッシャ及びワッシャを介して挿通させたボルト７，７をナット８，８で締結すればよい。以上で連結作業は終了する。
【００３５】
以上のように、連結式ツイン用カートの連結作業は、熟練を要することなく容易かつ迅速に行うことができ、連結された状態では、本体フレーム同士２，２が強固に連結されているため、全体として、しっかりとした剛性感が得られる。また、物品を収納した２つのバスケットを、左右のベビー用カート５，５に設けられている支持用桟２１，２１に後方から載せることができる。二人の乳幼児と物品を収納したバスケットを載せた満載状態では、７個のキャスター１で荷重を分担して安定に受けることができる。また、各キャスター１が旋回自在であるため、良好な操向性が得られる。そして、分離したい場合には、連結金具１２と連結部材１３のボルト７とナット８の締結を外せば簡単に分離でき、各ベビー用カート５に、取り外しておいた内側のキャスター１を取り付ければ、元の状態に復帰する。
【００３６】
この場合、連結する２つのベビー用カート５，５は何れも既存のベビー用カートであり、これらに連結用として何ら改良を施す必要がなく、連結金具１２と連結部材１３を用意すれば容易に組み立てることができる。従って、前実施の形態よりも安価であり、また、簡単に分離できるため、収容スペースに余裕がなくなった時等には分離すればよく、取り扱い上の自由度もより一層向上し、経費の節減効果もより高くなる。また、メーカーサイドでは、前実施の形態と同様に、製作段階でナイロンコーティングを施す際に、特別大きなコーティング槽を必要とせず製作費を低く押えることができる。
【００３７】
図９は、異なるタイプのベビー用カート５Ｂを連結した場合を示す。このような連結を可能とするためには、キャスター１の大きさ（外形）が一致していればよく、異なるメーカーの製品であってもよい。なお、連結金具１２や連結部材１３の大きさや形状、構成等については、適宜に選択設計されてよく、例えば、連結部材１３は、図示は省略するが、一方の板部材１３Ａをコ字状に形成して、他方の板部材１３Ｂにのみやや深めの挟持部１３ｅ，１３ｅを形成して、この他方の板部材１３Ｂを一方の板部材１３Ａに嵌合させるようにしてもよい。
【００３８】
なお、本発明は、実施の形態に限定されることなく、発明の要旨を逸脱しない限りにおいて、適宜、必要に応じて、設計変更や改良等を行うのは自由であり、例えば、シートやハンドルの形状やその支持構造、本体フレームの構造等については、適宜、必要に応じて、自由に選択設計されてよい。
【図面の簡単な説明】
【００３９】
【図１】本発明の実施の形態１に係る連結式ツイン用カートの側面図である。
【図２】同連結式ツイン用カートの平面図である。
【図３】（ａ）は同連結専用のベビー用カートの平面図、（ｂ）は側面図である。
【図４】（ａ）は同既存のベビー用カートの平面図、（ｂ）は側面図である。
【図５】（ａ）は連結した状態の本体フレームの平面図、（ｂ）は（ａ）のＢ−Ｂ線矢視断面図である。
【図６】（ａ）は本体フレームの組み付け対応平面図、（ｂ）は側面図である。
【図７】本発明の実施の形態２に係る連結式ツイン用カートの平面図である。
【図８】（ａ）は同連結部材の組み付け対応正面図、（ｂ）は本体フレーム同士の組み付け対応平面図、（ｃ）は連結金具の組み付け対応正面図である。
【図９】同異なる連結式ツイン用カートの平面図である。
【符号の説明】
【００４０】
１…キャスター、２…本体フレーム、４…シート、５，５Ａ，５Ｂ…ベビー用カート、６…受け部材、７…ボルト、８…ナット、９…ボルト挿通孔、１０…ボルト孔、１２…連結金具、１２ａ，１２ｂ…ボルト孔、１３…連結部材、１３Ａ，１３Ｂ…板部材、１３ｂ…ボルト孔、１３ｅ…挟持部
【図１】
2006219060.tif 000003
【図２】
2006219060.tif 000004
【図３】
2006219060.tif 000005
【図４】
2006219060.tif 000006
【図５】
2006219060.tif 000007
【図６】
2006219060.tif 000008
【図７】
2006219060.tif 000009
【図８】
2006219060.tif 000010
【図９】
2006219060.tif 000011